(57)【要約】【課題】監視対象地域に下位監視対象と上位監視対象とが存在する場合に、より簡易な方法で監視対象地域を表示させる。【解決手段】全体地図（５１）に各上位監視対象を示す上位アイコン（５２）又は各下位監視対象を示す下位アイコン（５３）を重ねて表示する監視画面（５）において、ユーザからの指示に応じて、監視画面（５）に表示される全体地図（５１）の縮尺及び表示範囲を変更し、ユーザからの指示に応じて、監視画面（５）に上位アイコン（５２）を表示する状態と、監視画面（５）に下位アイコン（５３）を表示する状態と、を切り替え、監視画面（５）に下位アイコン（５３）が表示されている状態で、ユーザにより特定の下位アイコン（５３）が選択されたとき、選択された下位アイコン（５３）に対応する下位監視対象の詳細情報を所定の形式で監視画面（５）に表示する。【選択図】図４
2019117287.tif 000002
【特許請求の範囲】
【請求項１】
監視対象地域に存在する、１又は複数の下位監視対象をそれぞれ含む複数の上位監視対象を監視するための監視装置であって、
前記監視対象地域の全体地図を表示するための全体地図情報と、各上位監視対象及び各下位監視対象の前記全体地図上における位置に関する位置情報と、各下位監視対象についての詳細情報と、を格納する記憶部と、
ユーザからの指示が入力される入力部と、
前記ユーザからの指示に応じて、所定の表示部に監視画面を表示させる制御部と、を備え、
前記監視画面は、前記全体地図に各上位監視対象を示す上位アイコン又は各下位監視対象を示す下位アイコンを重ねて表示するものであり、
前記制御部は、
前記ユーザからの指示に応じて、前記監視画面に表示される前記全体地図の縮尺及び表示範囲を変更し、
前記ユーザからの指示に応じて、前記監視画面に前記上位アイコンを表示する状態と、前記監視画面に前記下位アイコンを表示する状態と、を切り替え、
前記監視画面に前記下位アイコンが表示されている状態で、前記ユーザにより特定の前記下位アイコンが選択されたとき、選択された前記下位アイコンに対応する前記下位監視対象の前記詳細情報を所定の形式で前記監視画面に表示する、ように構成されている監視装置。
【請求項２】
前記記憶部は、さらに、各上位監視対象及び各下位監視対象の動作状態を表示するための動作状態情報を格納しており、
前記制御部は、前記動作状態情報に基づき、各上位監視対象及び各下位監視対象の前記動作状態を、対応する各上位アイコン及び各下位アイコンと関連付けて表示するように構成されている請求項１に記載の監視装置。
【請求項３】
前記記憶部は、前記動作状態情報として、各下位監視対象の動作状態についての情報を格納しており、
前記制御部は、各上位監視対象の前記動作状態として、当該上位監視対象に含まれる各下位監視対象の動作状態に基づいて決定したものを表示するように構成されている請求項２に記載の監視装置。
【請求項４】
前記制御部は、前記監視画面に前記上位アイコンが表示されている状態で、前記ユーザにより特定の前記上位アイコンが選択されたとき、
選択された前記上位アイコンに対応する前記上位監視対象に含まれる全ての前記下位監視対象を特定し、
前記監視画面に前記上位アイコンが表示されている状態から、少なくとも特定した前記下位監視対象に対応する前記下位アイコンを表示する状態に切り替え、
前記監視画面に表示される前記全体地図の縮尺及び表示範囲を、選択された前記上位アイコンに応じて変更するように構成されている請求項１〜３のいずれか一項に記載の監視装置。
【請求項５】
コンピュータで実行される、監視対象地域に存在する、１又は複数の下位監視対象をそれぞれ含む複数の上位監視対象を監視するための監視方法であって、
前記監視対象地域の全体地図を表示するための全体地図情報と、各上位監視対象及び各下位監視対象の前記全体地図上における位置に関する位置情報と、各下位監視対象についての詳細情報と、を格納する記憶工程と、
ユーザからの指示の入力を受ける入力工程と、
前記ユーザからの指示に応じて、所定の表示部に監視画面を表示させる表示工程と、を備え、
前記監視画面は、前記全体地図に各上位監視対象を示す上位アイコン又は各下位監視対象を示す下位アイコンを重ねて表示するものであり、
前記表示工程では、
前記ユーザからの指示に応じて、前記監視画面に表示される前記全体地図の縮尺及び表示範囲を変更し、
前記ユーザからの指示に応じて、前記監視画面に前記上位アイコンを表示する状態と、前記監視画面に前記下位アイコンを表示する状態と、を切り替え、
前記監視画面に前記下位アイコンが表示されている状態で、前記ユーザにより特定の前記下位アイコンが選択されたとき、選択された前記下位アイコンに対応する前記下位監視対象の前記詳細情報を所定の形式で前記監視画面に表示する監視方法。
【請求項６】
コンピュータで実行される、監視対象地域に存在する、１又は複数の下位監視対象をそれぞれ含む複数の上位監視対象を監視するための監視プログラムであって、
前記監視対象地域の全体地図を表示するための全体地図情報と、各上位監視対象及び各下位監視対象の前記全体地図上における位置に関する位置情報と、各下位監視対象についての詳細情報と、を格納する記憶機能と、
ユーザからの指示の入力を受ける入力機能と、
前記ユーザからの指示に応じて、所定の表示部に監視画面を表示させる表示機能と、を前記コンピュータに実行させ、
前記監視画面は、前記全体地図に各上位監視対象を示す上位アイコン又は各下位監視対象を示す下位アイコンを重ねて表示するものであり、
前記表示機能では、
前記ユーザからの指示に応じて、前記監視画面に表示される前記全体地図の縮尺及び表示範囲を変更し、
前記ユーザからの指示に応じて、前記監視画面に前記上位アイコンを表示する状態と、前記監視画面に前記下位アイコンを表示する状態と、を切り替え、
前記監視画面に前記下位アイコンが表示されている状態で、前記ユーザにより特定の前記下位アイコンが選択されたとき、選択された前記下位アイコンに対応する前記下位監視対象の前記詳細情報を所定の形式で前記監視画面に表示するように構成されている監視プログラム。
【発明の詳細な説明】
【技術分野】
【０００１】
本発明は、監視対象地域に存在する、１又は複数の下位監視対象をそれぞれ含む複数の上位監視対象を監視するための監視装置、監視方法、及び、監視プログラムに関する。
【背景技術】
【０００２】
複数の監視対象が存在する監視対象地域を監視するのに、監視対象地域を示す地図上において、各監視対象に対応する位置に、各監視対象の状態とともに各監視対象を示すアイコンを表示することで、監視対象地域の状態を視覚的に把握しようとする手法がある。そして、下位監視対象と上位監視対象とが含まれる監視対象地域については、地図上で下位監視対象を示すアイコンと上位監視対象を示すアイコンとが重なって表示されないように、広域地図上に上位監視対象を示す上位アイコンを表示しつつ、下位監視対象を示す下位アイコンを表示させる場合には、詳細地図に切り替えて下位アイコンのみを表示させるようになっていた（例えば、特開２０１０−８５１９８号公報（特許文献１）参照）。
【先行技術文献】
【特許文献】
【０００３】
【特許文献１】特開２０１０−８５１９８号公報
【発明の概要】
【発明が解決しようとする課題】
【０００４】
しかし、広域地図と詳細地図を切り替えて表示する方法の場合、地図データとして広域地図用のデータと詳細地図用のデータとをそれぞれ作成する必要があり、ある上位アイコンにおける下位アイコンを表示させた状態（詳細地図１とする）から、他の上位アイコンにおける下位アイコンを表示させる状態（詳細地図２とする）へと移行するには、詳細地図１→広域地図→詳細地図２といった順序で地図データを切り替えて画面表示しなければならず、複数の工程を経る必要があった。
【０００５】
そこで、監視対象地域に下位監視対象と上位監視対象とが存在する場合に、より簡易な方法で監視対象地域を表示させることのできる監視装置、監視方法、及び、監視プログラムの実現が望まれる。
【課題を解決するための手段】
【０００６】
本発明に係る監視装置は、
監視対象地域に存在する、１又は複数の下位監視対象をそれぞれ含む複数の上位監視対象を監視するための監視装置であって、
前記監視対象地域の全体地図を表示するための全体地図情報と、各上位監視対象及び各下位監視対象の前記全体地図上における位置に関する位置情報と、各下位監視対象についての詳細情報と、を格納する記憶部と、
ユーザからの指示が入力される入力部と、
前記ユーザからの指示に応じて、所定の表示部に監視画面を表示させる制御部と、を備え、
前記監視画面は、前記全体地図に各上位監視対象を示す上位アイコン又は各下位監視対象を示す下位アイコンを重ねて表示するものであり、
前記制御部は、
前記ユーザからの指示に応じて、前記監視画面に表示される前記全体地図の縮尺及び表示範囲を変更し、
前記ユーザからの指示に応じて、前記監視画面に前記上位アイコンを表示する状態と、前記監視画面に前記下位アイコンを表示する状態と、を切り替え、
前記監視画面に前記下位アイコンが表示されている状態で、前記ユーザにより特定の前記下位アイコンが選択されたとき、選択された前記下位アイコンに対応する前記下位監視対象の前記詳細情報を所定の形式で前記監視画面に表示する、ように構成されている。
【０００７】
この構成によれば、監視対象地域を示す地図の縮尺を変更して表示することにより、広域地図用のデータと詳細地図用のデータとを作成する必要がない。そして、表示する地図の縮尺を変更しつつ、表示させるアイコンを上位アイコンと下位アイコンとで切り替えることにより、ユーザにとって必要な種類のアイコンを適切な縮尺で表示させることができる。さらに、ある上位アイコンにおける下位アイコンを表示させた状態から、他の上位アイコンにおける下位アイコンを表示させる状態へと移行するのも、単に全体地図の表示範囲を移動させれば足り、複数の工程を要しない。このように、この構成によれば、監視対象地域に下位監視対象と上位監視対象とが存在する場合でも、簡易な方法で監視対象地域を表示させることができる。
【０００８】
以下、本発明に係る監視装置の好適な態様について説明する。但し、以下に記載する好適な態様例によって、本発明の範囲が限定される訳ではない。
【０００９】
１つの態様として、前記記憶部は、さらに、各上位監視対象及び各下位監視対象の動作状態を表示するための動作状態情報を格納しており、前記制御部は、前記動作状態情報に基づき、各上位監視対象及び各下位監視対象の前記動作状態を、対応する各上位アイコン及び各下位アイコンと関連付けて表示するように構成されていると好適である。
【００１０】
この構成によれば、ユーザが各監視対象の動作状態を容易に把握することができる。
【００１１】
１つの態様として、前記記憶部は、前記動作状態情報として、各下位監視対象の動作状態についての情報を格納しており、前記制御部は、各上位監視対象の前記動作状態として、当該上位監視対象に含まれる各下位監視対象の動作状態に基づいて決定したものを表示するように構成されていると好適である。
【００１２】
この構成によれば、上位監視対象について個別に動作状態情報を格納する必要がなくなる。
【００１３】
１つの態様として、前記制御部は、前記監視画面に前記上位アイコンが表示されている状態で、前記ユーザにより特定の前記上位アイコンが選択されたとき、選択された前記上位アイコンに対応する前記上位監視対象に含まれる全ての前記下位監視対象を特定し、前記監視画面に前記上位アイコンが表示されている状態から、少なくとも特定した前記下位監視対象に対応する前記下位アイコンを表示する状態に切り替え、前記監視画面に表示される前記全体地図の縮尺及び表示範囲を、選択された前記上位アイコンに応じて変更するように構成されていると好適である。
【００１４】
この構成によれば、上位アイコンを選択するのみで、複雑な操作を要することなく、その下位アイコンが適切に表示された状態へと移行させることができる。
【００１５】
本発明に係る監視方法は、
コンピュータで実行される、監視対象地域に存在する、１又は複数の下位監視対象をそれぞれ含む複数の上位監視対象を監視するための監視方法であって、
前記監視対象地域の全体地図を表示するための全体地図情報と、各上位監視対象及び各下位監視対象の前記全体地図上における位置に関する位置情報と、各下位監視対象についての詳細情報と、を格納する記憶工程と、
ユーザからの指示の入力を受ける入力工程と、
前記ユーザからの指示に応じて、所定の表示部に監視画面を表示させる表示工程と、を備え、
前記監視画面は、前記全体地図に各上位監視対象を示す上位アイコン又は各下位監視対象を示す下位アイコンを重ねて表示するものであり、
前記表示工程では、
前記ユーザからの指示に応じて、前記監視画面に表示される前記全体地図の縮尺及び表示範囲を変更し、
前記ユーザからの指示に応じて、前記監視画面に前記上位アイコンを表示する状態と、前記監視画面に前記下位アイコンを表示する状態と、を切り替え、
前記監視画面に前記下位アイコンが表示されている状態で、前記ユーザにより特定の前記下位アイコンが選択されたとき、選択された前記下位アイコンに対応する前記下位監視対象の前記詳細情報を所定の形式で前記監視画面に表示する。
【００１６】
本発明に係る監視プログラムは、
コンピュータで実行される、監視対象地域に存在する、１又は複数の下位監視対象をそれぞれ含む複数の上位監視対象を監視するための監視プログラムであって、
前記監視対象地域の全体地図を表示するための全体地図情報と、各上位監視対象及び各下位監視対象の前記全体地図上における位置に関する位置情報と、各下位監視対象についての詳細情報と、を格納する記憶機能と、
ユーザからの指示の入力を受ける入力機能と、
前記ユーザからの指示に応じて、所定の表示部に監視画面を表示させる表示機能と、を前記コンピュータに実行させ、
前記監視画面は、前記全体地図に各上位監視対象を示す上位アイコン又は各下位監視対象を示す下位アイコンを重ねて表示するものであり、
前記表示機能では、
前記ユーザからの指示に応じて、前記監視画面に表示される前記全体地図の縮尺及び表示範囲を変更し、
前記ユーザからの指示に応じて、前記監視画面に前記上位アイコンを表示する状態と、前記監視画面に前記下位アイコンを表示する状態と、を切り替え、
前記監視画面に前記下位アイコンが表示されている状態で、前記ユーザにより特定の前記下位アイコンが選択されたとき、選択された前記下位アイコンに対応する前記下位監視対象の前記詳細情報を所定の形式で前記監視画面に表示するように構成されている。
【００１７】
これらの構成によれば、本発明に係る監視装置の奏する作用効果を好適に得ることができる。
【図面の簡単な説明】
【００１８】
【図１】本実施形態に係る監視システムを示す図
【図２】本実施形態に係る監視装置を示すブロック図
【図３】本実施形態に係る監視画面の変化の概要を示す図
【図４】本実施形態に係る監視画面の変化の一例を示す図
【発明を実施するための形態】
【００１９】
本発明に係る監視装置の実施形態について、図面を参照して説明する。以下では、本実施形態に係る監視装置１を組み込んだ監視システムを例に説明する。まず、図１は、本実施形態に係る監視システムの概要を示し、本実施形態に係る監視システムは、監視対象地域２における各地区２１、及び、各地区２１に設けられているプラントや、水、電気、ガス等を供給・処理するためのインフラ設備等の各施設２２を監視するものである。具体的には、各施設２２には、その施設における運転に関するデータやそこで生じたイベントに関する情報等を収集して監視装置１に送信する通信端末が設けられており、監視装置１は、ネットワーク４を介して、各通信端末から各施設２２に関する情報を収集し、これを地区２１ごとに分類して、地区２１単位で管理可能な状態で各施設２２に関する情報を記憶するようになっている。そして、監視装置１に記憶された各種の情報は、監視装置１や、ネットワークを介してＰＣやタブレット端末、スマートフォンなどの端末装置３において、地区２１単位や施設２２ごとに参照可能になっている。これにより、本実施形態に係る監視システムにより、各地区２１及び各施設２２を監視することが可能になっている。
【００２０】
そして、特に、本実施形態では、監視装置１は、地区２１を上位監視対象、施設２２を下位監視対象とすれば、監視対象地域２に存在する、１又は複数の下位監視対象をそれぞれ含む複数の上位監視対象を監視しようとするものであり、このように監視対象地域２に下位監視対象と上位監視対象とが存在する場合に、簡易な方法で監視対象地域２を表示させることができるようになっている。以下、そのための構成について特に説明する。
【００２１】
監視装置１は、一般的なサーバ用マシン等からなり、図２に示すように、例えばハードディスクからなる記憶部１１、データや指示等の入力を受けるキーボードやマウス等の入力部１２、ＣＰＵ等からなり各種のデータ処理を行う制御部１３、後述する監視画面５を表示可能なディスプレイ等の表示部１４、及び、各施設２２の通信端末や端末装置３とネットワーク４を介して通信可能な通信機器等からなる通信部１５、を備えている。そして、本実施形態では、記憶部１１に、後述する処理を監視装置１に実行させるための監視プログラムを記憶してあり、監視プログラムに従って制御部１３が所定の処理を実行することで、監視装置１による各地区２１及び各施設２２の監視が行えるようになっている。
【００２２】
記憶部１１は、後述する監視画面５を表示するために、監視対象地域２の全体地図を表示するための全体地図情報と、各地区２１及び各施設２２の全体地図上における位置に関する位置情報と、が格納されている。そして、記憶部１１は、通信部１５の受信した各施設２２の側から送信される各施設２２についての詳細情報（施設２２を構成する装置の振動や電流値、圧力等の運転値や制御盤などの信号状態や、施設２２の運転に関する帳票、施設２２における気温、湿度、ダム等の水位、川等の流量、風速、雨量、揺れ等の周囲環境の状態など）を蓄積的に記憶するようになっている。さらに、記憶部１１は、各地区２１及び各施設２２の動作状態を表示するための動作状態情報を格納しており、本実施形態では、動作状態情報として、各施設２２の動作状態についての情報を格納している。なお、各施設２２の動作状態は、各施設２２の側から送信されたものでもよいし、各施設２２についての詳細情報から制御部１３が演算したものであってもよい。
【００２３】
入力部１２には、表示部１４に表示される監視画面５の表示内容を変化させるために、キーボードやマウス等の操作を介して、ユーザからの指示が入力される。なお、監視画面５を端末装置３に表示する場合には、通信部１５にユーザからの指示が入力されることになる（即ち、この場合、通信部１５が特許請求の範囲における入力部に相当する）。
【００２４】
制御部１３は、ユーザからの指示に応じて、表示部１４や端末装置３に監視画面５を表示させるようになっている。以下では、制御部１３により表示部１４や端末装置３に表示させる監視画面５の表示内容や、ユーザからの指示に基づく表示内容の変化について説明する。
【００２５】
まず、監視画面５は、図３に示すように、全体地図５１に各地区２１を示す上位アイコン５２又は各施設２２を示す下位アイコン５３を重ねて表示するものである。そして、本実施形態では、制御部１３は、記憶部１１に記憶された動作状態情報に基づき、各地区２１及び各施設２２の動作状態（本実施形態では正常又は異常）を、対応する各上位アイコン５２及び各下位アイコン５３と関連付けて表示するように構成されている。そして、制御部１３は、各施設２２の動作状態としては、記憶部１１に記憶されているものを表示し、各地区２１の動作状態としては、当該地区２１に含まれる各施設２２の動作状態に基づいて決定したものを表示するように構成されている。具体的には、制御部１３は、対象の地区２１に含まれる各施設２２の動作状態の全てが正常であるとき、その地区２１の動作状態を正常とし、対象の地区２１に含まれる各施設２２の動作状態のうち一つでも異常のものがあるとき、その地区２１の動作状態を異常と決定するようになっている。
【００２６】
そして、図３に示すように、制御部１３は、ユーザからの指示に応じて、監視画面５に表示される全体地図５１の縮尺及び表示範囲を変更するように構成されている。縮尺及び表示範囲を変更する方法は特に限定されず、監視画面上５に縮尺及び表示範囲を変更するためのボタンを表示して、ボタンに対する操作により縮尺及び表示範囲を変更したり、所定のマウス操作により縮尺及び表示範囲を変更するなど種々のものを用いることができる。また、ユーザからの指示に応じて、監視画面５に上位アイコン５２を表示する状態と、監視画面５に下位アイコン５３を表示する状態と、を切り替えるように構成されている。具体的には、本実施形態では、監視画面５中に上位アイコン表示ボタン５４と下位アイコン表示ボタン５５が設けられており、上位アイコン表示ボタン５４を選択することで監視画面５に上位アイコン５２を表示する状態となり、下位アイコン表示ボタン５５を選択することで監視画面５に下位アイコン５３を表示する状態に切替可能になっている。
【００２７】
さらに、図３に示すように、制御部１３は、監視画面５に下位アイコン５３が表示されている状態で、ユーザにより特定の下位アイコン５３が選択されたとき、選択された下位アイコン５３に対応する施設２２の詳細情報を所定の形式で監視画面５に表示するように構成されている。具体的には、制御部１３は、ユーザによる設定・指示に応じて、詳細情報の一部をグラフや表等の形式で表示する詳細情報表示欄５６を監視画面５上に表示するようになっている。これにより、各施設２２の詳細情報を的確に把握できる。
【００２８】
また、制御部１３は、監視画面５に上位アイコン５２が表示されている状態で、ユーザにより特定の上位アイコン５２が選択されたとき、選択された上位アイコン５２に対応する地区２１に含まれる全ての施設２２を特定し、監視画面５に上位アイコン５２が表示されている状態から、特定した施設２２に対応する下位アイコン５３を表示する状態に切り替え、監視画面５に表示される全体地図５１の縮尺を、選択された上位アイコン５２に応じて変更するように構成されている。これにより、上位アイコン５２を選択するのみで、複雑な操作を要することなく、その下位アイコン５３が適切に表示された状態へと移行させることができる。このようにアイコンの切り替えと必要に応じて全体地図５１の縮尺の変更を行うことにより、上位アイコン５２（即ち地区２１）が適切な表示範囲で表示された状態と下位アイコン５３（即ち施設２２）が適切な表示範囲で表示された状態とを切り替えることができる。なお、対応する下位アイコン５３を表示する状態に切り替えるとき、全体地図５１上に対応する下位アイコン５３のみが表示される状態としてもよいし、他の下位アイコン５３も全体地図５１上に表示される状態としてもよい。
【００２９】
以上のように、本実施形態の監視装置１によれば、図４のように、上位アイコン表示ボタン５４及び下位アイコン表示ボタン５５の選択により、表示させるアイコンの切り替えを行うことができ、また、監視画面５に上位アイコン５２が表示されている状態で特定の上位アイコン５２が選択されれば、対応する下位アイコン５３が適切な縮尺で表示された状態へと移行でき、さらに、監視画面５に下位アイコン５３が表示されている状態で特定の下位アイコン５３が選択されれば、詳細情報表示欄５６が監視画面５上に表示されるようになっている。これにより、本実施形態の監視装置１によれば、これらの操作を組み合わせることで、監視対象地域２に下位監視対象と上位監視対象とが存在する場合に、より簡易な方法で監視対象地域２を表示させることができる
【００３０】
〔その他の実施形態〕
最後に、本発明に係る監視装置のその他の実施形態について説明する。なお、以下のそれぞれの実施形態で開示される構成は、矛盾が生じない限り、他の実施形態で開示される構成と組み合わせて適用することも可能である。
【００３１】
（１）上記の実施形態では、地区２１を上位監視対象とし、施設２２を下位監視対象とした構成を例に説明した。しかし、本発明の実施形態はこれに限定されず、種々のものを上位監視対象及び下位監視対象とすることができる。
【００３２】
（２）各上位アイコン５２及び各下位アイコン５３と関連付けて表示する動作状態は正常又は異常に限らず、より詳細なものであってもよいし、異なるものであってもよい。また、文字として表示するのみならず、アイコンの色や形状などを動作状態に応じて変更するようにしてもよい。
【００３３】
（３）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００３４】
本発明は、監視対象地域を監視する監視装置に利用することができる。
【符号の説明】
【００３５】
１        監視装置
１１      記憶部
１２      入力部
１３      制御部
１４      表示部
２        監視対象地域
２１      地区
２２      施設
５        監視画面
５１      全体地図
５２      上位アイコン
５３      下位アイコン
【図１】
2019117287.tif 000003
【図２】
2019117287.tif 000004
【図３】
2019117287.tif 000005
【図４】
2019117287.tif 000006